(57)【要約】【課題】集塵袋検知体によって集塵袋の集塵容量が減少することを十分に防止することができ、使い勝手のよい電気掃除機の提供。【解決手段】掃除機本体と、掃除機本体内に配置されており、吸引風を発生させる電動送風機と、電動送風機で発生された吸引風によって吸引された塵埃を捕集する集塵袋と、電動送風機の上流側に設けられており、集塵袋を内蔵する集塵室と、掃除機本体に開閉自在に取り付けられており、集塵室の上方を覆う蓋体と、蓋体に回動自在に取り付けられており、集塵室への集塵袋の装着の有無を検知する集塵袋検知体と、を備え、集塵袋検知体には、集塵袋検知体の回動軸に対して２０〜７０度の角度で形成された検知部が設けられている電気掃除機。【選択図】図２
2012223224.tif 000002
【特許請求の範囲】
【請求項１】
掃除機本体と、前記掃除機本体内に配置されており、吸引風を発生させる電動送風機と、前記電動送風機で発生された吸引風によって吸引された塵埃を捕集する集塵袋と、前記電動送風機の上流側に設けられており、前記集塵袋を内蔵する集塵室と、前記掃除機本体に開閉自在に取り付けられており、前記集塵室の上方を覆う蓋体と、前記蓋体に回動自在に取り付けられており、前記集塵室への前記集塵袋の装着の有無を検知する集塵袋検知体と、
を備え、前記集塵袋検知体には、前記集塵袋検知体の回動軸に対して２０度〜７０度の角度で形成された検知部が設けられている電気掃除機。
【請求項２】
前記集塵袋は、口板部と、前記口板部に取り付けられた袋部と、から構成されており、前記検知部の前端部には、前記集塵袋が前記集塵室に取り付けられた状態で前記蓋体が閉状態とされたときに、前記口板部と係合する係合凹部が設けられている請求項１に記載の電気掃除機。
【請求項３】
前記検知部には、前記口板部を前記係合凹部に導く傾斜面または曲面が設けられている請求項２に記載の電気掃除機。
【請求項４】
前記検知部の後端部には、突起部が設けられている請求項１〜３のうちのいずれか１項に記載の電気掃除機。
【請求項５】
前記集塵袋検知体には、前記検知部が複数設けられている請求項１〜４のうちのいずれか１項に記載の電気掃除機。
【請求項６】
前記集塵袋検知体には、前記検知部の動作に連動して動作する突出部が設けられている請求項１〜５のうちのいずれか１項に記載の電気掃除機。
【発明の詳細な説明】
【技術分野】
【０００１】
本発明は、集塵袋を有する電気掃除機に関する。
【背景技術】
【０００２】
従来、この種の電気掃除機においては、集塵袋が未装着の状態で電気掃除機が使用されることを防止するべく、集塵室の上方を覆う蓋体に、集塵室への集塵袋の装着の有無を検知する集塵検知体を設けた構成が提案されている（例えば、特許文献１参照）。
【０００３】
すなわち、図９に示すように、従来の電気掃除機（図示せず）における掃除機本体２００は、吸引風を発生させる電動送風機（図示せず）と、電動送風機（図示せず）の前方に配置されており、電動送風機（図示せず）で発生された吸引風によって吸引された塵埃を捕集する集塵袋２０１が着脱自在に装着される集塵室２０２と、集塵室２０２の上方を開閉自在に覆う蓋体２０３と、蓋体２０３に設けられており、集塵室２０２への集塵袋２０１の装着の有無を検知する検知部２０４及び突起部２０５を備えた集塵袋検知体２０６と、から構成されている。
【０００４】
そして、従来の電気掃除機（図示せず）においては、検知部２０４が集塵室２０２への集塵袋２０１の装着を検知したときは、蓋体２０３が閉状態となる位置に突起部２０５が移動するとともに、検知部２０４が集塵室２０２への集塵袋２０１の未装着を検知したときには、蓋体２０３が閉状態とならない位置に突起部２０５が移動するように構成されている。
【先行技術文献】
【特許文献】
【０００５】
【特許文献１】特開２００７−８２７８６号公報
【発明の概要】
【発明が解決しようとする課題】
【０００６】
しかなしながら、上記従来の電気掃除機においては、集塵袋検知体によって集塵袋の集塵容量が減少することを十分に防止し、電気掃除機の使い勝手を向上させるという観点からは未だ改善の余地があった。
【０００７】
すなわち、上記従来の電気掃除機においては、集塵室に集塵袋が装着された状態で蓋体を閉状態とした場合、集塵袋検知体の検知部が集塵袋の上方に大きく突出しているため、検知部によって集塵袋が圧迫されてしまい、集塵袋の集塵容量が減少してしまう場合があった。そのため、集塵袋がいっぱいになっていないにも関わらず集塵袋を交換しなくてはならず、電気掃除機の使い勝手が悪くなる場合があった。
【０００８】
本発明は、上記従来技術有する課題に鑑みてなされたものであり、集塵袋検知体によって集塵袋の集塵容量が減少することを十分に防止することができ、電気掃除機の使い勝手を向上させることができる電気掃除機を提供することを目的とする。
【課題を解決するための手段】
【０００９】
上記従来技術の有する課題を解決するために、本発明は、掃除機本体と、掃除機本体内に配置されており、吸引風を発生させる電動送風機と、電動送風機で発生された吸引風によって吸引された塵埃を捕集する集塵袋と、電動送風機の上流側に設けられており、集塵袋を内蔵する集塵室と、掃除機本体に開閉自在に取り付けられており、集塵室の上方を覆
う蓋体と、蓋体に回動自在に取り付けられており、集塵室への集塵袋の装着の有無を検知する集塵袋検知体と、を備え、集塵袋検知体には、集塵袋検知体の回動軸に対して２０度〜７０度の角度で形成された検知部が設けられている電気掃除機を提供する。
【００１０】
これにより、集塵袋検知体に設けられた検知部が集塵袋検知体の回動軸に対して２０度〜７０度の角度で形成されたているため、集塵室に集塵袋が装着された状態で蓋体を閉状態とした場合に、検知部が集塵袋を圧迫することがなく、集塵袋の集塵容量が減少することを十分に防止することができ、電気掃除機の使い勝手を向上させることができる。
【発明の効果】
【００１１】
本発明の電気掃除機によれば、集塵袋検知体によって集塵袋の集塵容量が減少することを十分に防止することができ、電気掃除機の使い勝手を向上させることができるようになる。
【図面の簡単な説明】
【００１２】
【図１】本発明の電気掃除機の実施の形態１を示す全体斜視図
【図２】本発明の電気掃除機の実施の形態１における掃除機本体の全体斜視図
【図３】本発明の電気掃除機の実施の形態１における掃除機本体の断面図
【図４】（ａ）本発明の電気掃除機の実施の形態１における集塵袋検知体を示す全体斜視図、（ｂ）本発明の電気掃除機の実施の形態１における集塵袋検知体の上面図
【図５】（ａ）本発明の電気掃除機の実施の形態１における集塵袋が集塵室に装着された状態で蓋体を閉状態にした様子を示す要部断面図、（ｂ）本発明の電気掃除機の実施の形態１における集塵袋が集塵室に装着された状態で蓋体を閉状態にした際の検知部及び口板部の位置関係を示す要部断面図、（ｃ）本発明の電気掃除機の実施の形態１における集塵袋が集塵室に正常に装着されていない状態で蓋体を閉状態にした様子を示す要部断面図、（ｄ）本発明の電気掃除機の実施の形態１における集塵袋が集塵室に正常に装着されていない状態で蓋体を閉状態にした際の検知部及び口板部の位置関係を示す要部断面図、（ｅ）本発明の電気掃除機の実施の形態１における集塵袋が集塵室に正常に装着されていない状態で蓋体を閉状態にした様子を示す要部断面図、（ｆ）本発明の電気掃除機の実施の形態１における集塵袋が集塵室に正常に装着されていない状態で蓋体を閉状態にした際の検知部及び口板部の位置関係を示す要部断面図
【図６】本発明の電気掃除機の実施の形態１における集塵袋が膨らんだ状態を示す部分断面図
【図７】（ａ）本発明の電気掃除機の実施の形態２における集塵袋検知体を示す全体斜視図、（ｂ）本発明の電気掃除機の実施の形態２における集塵袋検知体の上面図
【図８】本発明の電気掃除機の実施の形態２における集塵袋が膨らんだ状態を示す部分断面図
【図９】従来の電気掃除機の掃除機本体を示す部分拡大断面図
【発明を実施するための形態】
【００１３】
第１の発明は、掃除機本体と、掃除機本体内に配置されており、吸引風を発生させる電動送風機と、電動送風機で発生された吸引風によって吸引された塵埃を捕集する集塵袋と、電動送風機の上流側に設けられており、集塵袋を内蔵する集塵室と、掃除機本体に開閉自在に取り付けられており、集塵室の上方を覆う蓋体と、蓋体に回動自在に取り付けられており、集塵室への集塵袋の装着の有無を検知する集塵袋検知体と、を備え、集塵袋検知体には、集塵袋検知体の回動軸に対して２０度〜７０度の角度で形成された検知部が設けられている電気掃除機としたものである。
【００１４】
これにより、集塵袋検知体に設けられた検知部が集塵袋検知体の回動軸に対して２０度〜７０度の角度で形成されているため、集塵室に集塵袋が装着された状態で蓋体を閉状態
とした場合に、検知部が集塵袋を圧迫することがなく、集塵袋の集塵容量が減少することを十分に防止することができ、電気掃除機の使い勝手を向上させることができる。
【００１５】
第２の発明は、特に、第１の発明において、集塵袋は、口板部と、口板部に取り付けられた袋部と、から構成されており、検知部の前端部には、集塵袋が集塵室に取り付けられた状態で蓋体が閉状態とされたときに、口板部と係合する係合凹部が設けられているものである。
【００１６】
これにより、集塵室に集塵袋が装着された状態で蓋体を閉状態とすることで集塵袋の口板部と集塵袋検知体の検知部に設けられた係合凹部とを係合させることができ、集塵袋を集塵室内に簡単な構成で確実に保持させることができる。また、蓋体を開状態とすることで口板部と係合凹部との係合を解除させることができるとともに、集塵袋の口板部の上方を開放状態とすることができるため、集塵袋を容易に交換することができる。よって、集塵袋の着脱を容易に行うことができ、電気掃除機の使い勝手をさらに向上させることができる。
【００１７】
第３の発明は、特に、第１及び第２の発明において、検知部には、口板部を係合凹部に導く傾斜面または曲面が設けられているものである。
【００１８】
これにより、集塵袋の口板部と検知部に設けられた係合凹部とを確実に係合させることができる。また、集塵袋の口板部と検知部とが面で接触するため、集塵袋の口板部が破損することを十分に防止することができる。
【００１９】
第４の発明は、特に、第１〜第３の発明において、検知部の後端部には、突起部が設けられているものである。
【００２０】
これにより、集塵袋の口板部が検知部の後方に外れることがなく、集塵室内に集塵袋を確実に保持させることができる。
【００２１】
第５の発明は、特に、第１〜第４の発明において、集塵袋検知体には、検知部が複数設けられているものである。
【００２２】
これにより、検知部を複数設けることにより、集塵室への集塵袋の装着の有無をより広範囲で検知することができ、集塵袋の装着の有無を精度よく検知することができる。
【００２３】
第６の発明は、特に、第１〜第５の発明において、集塵袋検知体には、前記検知部の動作に連動して動作する突出部が設けられているものである。
【００２４】
これにより、検知部の動作に連動して突出部を動作させるため、突出部を動作させるための構成を検知部とは別に設ける必要が無く、部品点数を削減することができる。
【００２５】
以下、図面を参照しながら本発明の電気掃除機の好適な実施形態について詳細に説明する。なお、以下の説明では、同一または相当部分には同一符号付し、重複する説明は省略する。
【００２６】
（実施の形態１）
本発明の電気掃除機の実施の形態１について、図１〜図４を用いて説明する。
【００２７】
図１は、本発明の電気掃除機の実施の形態１を示す全体斜視図である。また、図２は、本発明の電気掃除機の実施の形態１における掃除機本体の全体斜視図である。さらに、図
３は、本発明の電気掃除機の実施の形態１における掃除機本体の断面図である。また、図４（ａ）は、本発明の電気掃除機の実施の形態１における集塵袋検知体を示す全体斜視図、図４（ｂ）は、本発明の電気掃除機の実施の形態１における集塵袋検知体の上面図である。
【００２８】
図１に示すように、電気掃除機１００は、吸引風を発生させる電動送風機（図示せず）を内蔵する掃除機本体１と、被清掃面の塵埃を吸引する吸込具２と、一端が吸込具２に着脱自在に接続される伸縮自在或いは継ぎ自在の延長管３と、一端が延長管３の他端に着脱自在に接続され、他端が掃除機本体１の前部に設けられた吸入口１ａに着脱自在に接続されるホース４と、から構成されている。
【００２９】
掃除機本体１の後方の両側には、走行用の車輪５が回転自在に取り付けられている。また、掃除機本体１の下面の前方には、走行用のキャスター（図示せず）が回転自在に取り付けられている。さらに、掃除機本体の前方の上部には、使用者が掃除機本体１を持ち運ぶ際に使用する本体ハンドル６が設けられている。
【００３０】
吸込具２には、被清掃面の塵埃を掻き上げる回転ブラシ７と、この回転ブラシ７を回転駆動する駆動モータ８とが内蔵されている。
【００３１】
ホース４の延長管３側の端部には、使用者が掃除の際に保持する把手部９を有する先端パイプ１０が設けられている。また、ホース４の掃除機本体１側の端部には、掃除機本体１の吸入口１ａに着脱自在に接続される接続パイプ１１が設けられている。
【００３２】
図２及び図３に示すように、掃除機本体１は、主として、掃除機本体１の下面を形成する下部材１２と、後述する電動送風機室１７の上面を形成する上部材１３と、後述する集塵室２６の上方及び上部材１３の上面を覆う蓋体１４と、掃除機本体１の側面を形成するカバー体１５と、から構成されており、蓋体１４は掃除機本体１に開閉自在に取り付けられている。
【００３３】
図３に示すように、掃除機本体１の後部には、吸引風を発生させる電動送風機１６を内蔵する電動送風機室１７が設けられている。電動送風機１６の前部及び後部には、それぞれ、弾性部材で形成された前部サポート部材１８及び後部サポート部材１９が設けられている。また、電動送風機１６の外周には、電動送風機１６の上部を覆う上部ケース２０と、電動送風機１６の下部を覆う下部ケース２１とが設けられている。そして、電動送風機１６は、前部サポート部材１８及び後部サポート部材１９が上部ケース２０及び下部ケース２１によって挟持されることで、上部ケース２０及び下部ケース２１に保持され、電動送風機室１７内に配置されている。
【００３４】
電動送風機室１７の上部には、帯電微粒子水を生成する静電霧化装置２２を内蔵する収納ケース２３が配置されている。収納ケース２３には、静電霧化装置２２と、静電霧化装置２２に電源を供給する高電圧装置２４と、が内蔵されており、静電霧化装置２２と高電圧装置２４とは電気的に接続されている。
【００３５】
電動送風機１６の上流側、すなわち、掃除機本体１の前部には、電動送風機１６で発生された吸引風によって吸引された塵埃を捕集する集塵袋２５を内蔵する集塵室２６が設けられている。集塵袋２５は、掃除機本体１に設けられた吸入口１ａに連通する吸込口（図示せず）を有する口板部２５ａと、口板部２５ａ取付けられ、吸込口（図示せず）から流入した塵埃を捕集する袋部２５ｂとから構成されている。袋部２５ｂは、ポリプロピレン等の熱可塑性繊維で構成されるとともに、エレクトレット加工されており、空気等の摩擦で帯電するように構成されている。集塵袋２５は、口板部２５ａの下部及び両側部が集塵
室２６内に設けられた位置決め部２７と係合するとともに、口板部２５ａの上部が後述する蓋体１４に設けられた集塵袋検知体２８と係合することで、集塵室２６内に保持されている。
【００３６】
図２〜図４に示すように、蓋体１４の前部には、集塵室２６内への集塵袋２５の装着の有無を検知する集塵袋検知体２８が設けられており、この集塵袋検知体２８は蓋体１４に回動自在に取付けられている。図４（ａ）及び（ｂ）に示すように、集塵袋検知体２８は、蓋体１４に回動自在に軸支される回転軸２９を有する本体部３０と、本体部３０から本体部３０の後方に向かって延設された検知部３１と、本体部３０から本体部３０の下方に向かって延設された突出部３２と、から構成されている。また、蓋体１４の検知部３１の上方には、検知部３１の回動を規制する規制リブ１４ａ（図５参照）が設けられている。ここで、本体部３０の後方とは、蓋体１４が集塵室２６の上方を閉塞した状態における電動送風機１６側であり、本体部３０の下方とは、蓋体１４が集塵室２６の上方を閉塞した状態における集塵室２６側である。
【００３７】
突出部３２は、本体部３０の略中央部に配置されており、検知部３１の動作に連動して動作するように設けられている。すなわち、突出部３２は、検知部３１が集塵室２６に集塵袋２５が装着されていないことを検知した場合には、蓋体１４が閉状態とならない位置に位置するとともに、検知部３１が集塵室２６に集塵袋２５が装着されていることを検知した場合には、検知部３１の動作に連動して蓋体１４が閉状態とならない位置から蓋体１４が閉状態となる位置に移動するように構成されている。ここで、蓋体１４が閉状態にならない位置は、蓋体１４と掃除機本体１との間の位置であることが好ましい。
【００３８】
検知部３１の前端部の下面には、集塵袋２５が集塵室２６に取り付けられた状態で蓋体１４を閉状態としたときに、口板部２５ａと係合する係合凹部３３が設けられている。また、検知部３１の後端部の下面には、検知部３１の後端部から下方に向かって延設された突起部３４が設けられている。さらに、検知部３１の係合凹部３３と突起部３４との間には、集塵袋２５が集塵室２６に取り付けられた状態で蓋体１４が閉状態とされたときに、集塵袋２５の口板部２５ａを係合凹部３３へと導く曲面３５が形成されている。ここで、検知部３１の前端部とは、検知部３１の本体部３０側の端部であり、検知部３１の後端部とは、検知部３１の本体部３０とは反対側の端部である。また、曲面３５は、検知部３１の係合凹部３３に集塵袋２５の口板部２５ａを導く曲率半径で形成されていればよく、曲面３５の曲率半径（ｍｍ）は、５Ｒ〜２５Ｒで形成されていることが好ましい。
【００３９】
ここで、検知部３１は、検知部３１の中心軸Ｐ１と回転軸２９の中心軸Ｐ２とが成す角度Ｘが、２０度〜７０度の範囲となるように、本体部３０から後方に向かって延設されている。以下、検知部３１の中心軸Ｐ１と回転軸２９の中心軸Ｐ２とが成す角度Ｘについて、実験により導き出した結果について表１を用いて説明する。
【００４０】
実験に使用した集塵袋検知体２８は、ＡＢＳ樹脂で形成した。また、集塵袋検知体２８について、蓋体１４の前方の略中央部に配置した。さらに、検知部３１の幅Ｗ１は、１０ｍｍとした。評価実験は、蓋体１４を１５０回開閉動作させて行った。ここで、１５０回とは、集塵袋２５の集塵容量が１５０日で一杯になると想定し、この期間中に、１日１回、使用者が蓋体１４を開閉させることを想定した場合の回数である。
【００４１】
判定は、蓋体１４を１５０回開閉動作させたとき、集塵袋検知体２８の検知部３１と掃除機本体１との接触、集塵袋検知体２８の検知部３１と集塵袋２５の口板部２５ａとの非係合、集塵袋２５の変形による集塵容量の低下がなく継続して使用可能な場合は○、継続して使用可能であるが、検知部３１と掃除機本体１との接触、集塵袋検知体２８の検知部３１と集塵袋２５の口板部２５ａとの非係合、集塵袋２５の変形により集塵容量の低下の
兆候が見られる等の場合は△、検知部３１と掃除機本体１との接触、集塵袋検知体２８の検知部３１と集塵袋２５の口板部２５ａとの非係合、集塵袋２５の集塵容量の低下が明らかな場合は×とした。ここで、集塵袋２５の変形による集塵容量の低下の判定については、集塵袋２５が集塵できる最大の容量のうち９０％以上の集塵容量が確保できている場合は○、集塵袋２５が集塵できる最大の容量のうち８０％以上９０％未満の集塵容量が確保できている場合は△、集塵袋２５が集塵できる最大の容量のうち、８０％未満の集塵容量が確保できている場合は×とした。また、検知部３１の長さＴ１とは、検知部３１の前端部から後端部までの長さである。
【００４２】
【表１】
2012223224.tif 000003
【００４３】
表１に示すように、検知部３１の長さＴ１を２．５ｃｍ、角度Ｘを１０度及び１５度とした場合、検知部の長さＴ１を３．０ｃｍ、角度Ｘを１０度及び１５度とした場合、及び、検知部の長さＴ１を３．５ｃｍ、角度Ｘを１０度とした場合には、検知部３１が集塵袋２５の口板部２５ａと接触せず、検知部３１の係合凹部３３と集塵袋２５の口板部２５ａとが係合しない場合があった。また、検知部３１の長さＴ１を９．５ｃｍ、角度Ｘを１０度とした場合、及び、検知部３１の長さＴ１を１０．０ｃｍ、角度Ｘを１０度及び１５度とした場合には、検知部３１の後端部が掃除機本体１に接触してしまう箇所がみられた。一方、検知部３１の長さＴ１を２．５ｃｍ、３．０ｃｍ、及び３．５ｃｍとした場合において、角度Ｘを２０度以上とした場合には、検知部３１の係合凹部３３と集塵袋２５の口板部２５ａとが係合しにくい場合にあるものの、検知部３１が集塵袋２５の口板部２５ａとが係合する。また、検知部３１の長さＴ１を９．５ｃｍ及び１０．０ｃｍとした場合においても、角度Ｘを２０度以上とすることで、検知部３１の後端部と掃除機本体１との接触を継続して使用可能な範囲まで軽減することができる。
【００４４】
また、表１に示すように、検知部３１の長さＴ１を９．５ｃｍ、角度Ｘを８０度とした場合、及び、検知部３１の長さＴ１を１０．０ｃｍ、角度Ｘを７５度及び８０度とした場合、検知部３１が集塵袋２５の袋部２５ｂに圧接してしまい、集塵袋２５の集塵容量が低下している箇所がみられた。一方、検知部３１の長さＴ１を９．５ｃｍ及び１０．０ｃｍとした場合において、角度Ｘを７０度以下とすることで、集塵袋２５の集塵容量を継続して使用可能な８０％以上の集塵容量とすることができる。
【００４５】
さらに、検知部３１の長さＴ１を２．５ｃｍ〜１０．０ｃｍの範囲で変化させた場合においても、検知部３１の中心軸Ｐ１と回転軸２９の中心軸Ｐ２とが成す角度Ｘが２０度〜７０度であれば、検知部３１と掃除機本体１との接触、集塵袋検知体２８の検知部３１と集塵袋２５の口板部２５ａとの非係合、集塵袋２５の変形により集塵容量の低下などを十分に防止することができ、良好な結果を示していることがわかる。
【００４６】
以上より、検知部３１の中心軸Ｐ１と回転軸２９の中心軸Ｐ２とが成す角度Ｘは２０度〜７０度であることが好ましく、さらに好ましくは、検知部３１の長さＴ１は４．０ｃｍ〜９．０ｃｍであることが好ましい。
【００４７】
以上のように構成された電気掃除機１００について、図５及び図６を加えて、以下、その動作及び作用を説明する。
【００４８】
図５（ａ）は、本発明の電気掃除機の実施の形態１における集塵袋が集塵室に装着された状態で蓋体を閉状態にした様子を示す要部断面図、図５（ｂ）は、本発明の電気掃除機の実施の形態１における集塵袋が集塵室に装着された状態で蓋体を閉状態にした際の検知部及び口板部の位置関係を示す要部断面図、図５（ｃ）は、本発明の電気掃除機の実施の形態１における集塵袋が集塵室に正常に装着されていない状態で蓋体を閉状態にした様子を示す要部断面図、図５（ｄ）は、本発明の電気掃除機の実施の形態１における集塵袋が集塵室に正常に装着されていない状態で蓋体を閉状態にした際の検知部及び口板部の位置関係を示す要部断面図、図５（ｅ）は、本発明の電気掃除機の実施の形態１における集塵袋が集塵室に正常に装着されていない状態で蓋体を閉状態にした様子を示す要部断面図、図５（ｆ）は、本発明の電気掃除機の実施の形態１における集塵袋が集塵室に正常に装着されていない状態で蓋体を閉状態にした際の検知部及び口板部の位置関係を示す要部断面図である。また、図６は、本発明の電気掃除機の実施の形態１における集塵袋が膨らんだ状態を示す部分断面図である。
【００４９】
図５（ａ）及び（ｂ）に示すように、使用者が集塵袋２５を集塵室２６に装着する場合に、使用者は、集塵袋２５の口板部２５ａを集塵室２６内に設けられた位置決め部２７に係合させ、集塵室２６に集塵袋２５を装着する。この状態で、使用者が蓋体１４を閉状態となるように回動させていくと、集塵袋検知体２８に設けられた検知部３１の下面が集塵袋２５の口板部２５ａの上端部と当接する。この状態で、使用者がさらに蓋体１４を閉状態へと回動させると、検知部３１が口板部２５ａによって上方へと押し上げられ、検知部３１が上方へと回動するとともに、検知部３１の下面に形成された曲面３５に沿って口板部２５ａが係合凹部３３側へと導かれる。そして、使用者が、蓋体１４を完全に閉状態にすると、検知部３１の係合凹部３３が口板部２５ａの上面と嵌合し、集塵室２６内で集塵袋２５が保持される。
【００５０】
このとき、検知部３１及び突出部３２は、本体部３０に一体的に形成されているため、上述した検知部３１の動作に連動して、突出部３２を蓋体１４が閉状態とならない位置、すなわち、蓋体１４と掃除機本体１との間に位置する位置から蓋体１４が閉状態になる位置、すなわち、蓋体１４と掃除機本体１との間に位置しない位置へと移動させることができる。また、検知部３１は、蓋体１４に設けられた規制リブ１４ａによって上方への回動を規制されているため、蓋体１４を完全に閉状態とした状態において、検知部３１が上方に回動することがないため、集塵室２６に設けられた位置決め部２７及び検知部３１に設けられた係合凹部３３によって、集塵袋２５を集塵室２６内で確実に保持することができる。したがって、使用者は集塵袋２５を集塵室２６に装着し蓋体１４を閉状態にするだけで、集塵袋２５を集塵室２６に確実に保持させることができるとともに、蓋体１４を完全に閉状態とし電気掃除機１００の運転を開始することができるため、電気掃除機１００の使い勝手を向上させることができる。
【００５１】
使用者により集塵袋２５が集塵室２６内に装着され電気掃除機１００の運転が開始されると、駆動モータ８及び電動送風機１６が駆動されるとともに、高電圧装置２４から静電霧化装置２２に電源が供給され、静電霧化装置２２で帯電微粒子水が生成される。駆動モータ８及び電動送風機１６が駆動されると、電動送風機１６で吸引風が発生されるとともに、回転ブラシ７が回転駆動され、吸込具２の下面に形成された開口部（図示せず）から
被清掃面上の塵埃が吸引される。吸込具２によって吸引された塵埃は、延長管３及びホース４を介して掃除機本体１内へと流入し、集塵袋２５の袋部２５ｂで塵埃が捕集される。塵埃が捕集されたあとの吸引風は、集塵室２６と電動送風機室１７との間に形成された連通口（図示せず）を介して電動送風機１６の内部へと流入する。電動送風機１６の内部に流入した吸引風は、電動送風機１６のファン部（図示せず）及びモータ部（図示せず）に設けた排出口（図示せず）から電動送風機１６の外部へと排出される。電動送風機１６のモータ部（図示せず）から排出された吸引風は、上部ケース２０及び下部ケース２１内へと排出され、その後、掃除機本体１の後部に設けられた排気口（図示せず）から掃除機本体１の外部へと排出される。また、電動送風機１６のファン部（図示せず）から排出された吸引風は、収納ケース２３内へと流入し、静電霧化装置２２で生成された帯電微粒子水とともに、掃除機本体１の上面の後部、すなわち、蓋体１４の後部に設けられた放出口（図示せず）から掃除機本体１の外部へと排出される。
【００５２】
ここで、使用者が集塵袋２５を集塵室２６に装着した際に、集塵袋２５の口板部２５ａと集塵室２６内に設けられた位置決め部２７とが係合しておらず、集塵袋２５が集塵室２６に正常に装着されていない場合がある。この状態で蓋体１４が閉状態となり、電気掃除機１００の運転が開始されてしまうと、掃除機本体１の吸入口１ａから掃除機本体１内に流入した塵埃が集塵室２６内に漏れてしまうとともに、集塵室２６内に漏れた塵埃が電動送風機１６内に流入してしまい、電動送風機１６が故障してしまう場合がある。
【００５３】
そこで、本実施の形態においては、図５（ｃ）及び（ｄ）に示すように、集塵袋２５が集塵室２６に正常に装着されていない場合、蓋体１４が閉状態とならないように構成している。具体的には、図５（ｃ）及び（ｄ）に示すように、集塵袋２５が集塵室２６に正常に装着されていない状態で、使用者が蓋体１４を閉状態となるように回動させていくと、集塵袋検知体２８に設けられた検知部３１の下面が集塵袋２５の口板部２５ａの上端部と当接する。この状態で、使用者がさらに蓋体１４を閉状態へと回動させると、検知部３１が口板部２５ａによって上方へと押し上げられ、検知部３１が上方へと回動し、検知部３１の上面と規制リブ１４ａと当接する。この状態で、さらに使用者が蓋体１４を閉状態へと回動させると、検知部３１の下面に沿って口板部２５ａが検知部３１の後端部側へと移動し、検知部３１の後端部に設けられた突起部３４と口板部２５ａとが当接する。図５（ｄ）に示すように、検知部３１の後端部に設けられた突起部３４と口板部２５ａと当接した状態において、検知部３１の上面が規制リブ１４ａと当接するとともに検知部３１の下面が口板部２５ａの上端部と当接しているため、検知部３１、規制リブ１４ａ、及び口板部２５ａによって蓋体１４の回動が規制され、蓋体１４が閉状態にならない。したがって、集塵袋２５が集塵室２６に正常に装着されていない状態で蓋体１４が閉状態となることを簡単な構成で確実に防止することができるため、電気掃除機１００の安全性及び電気掃除機１００の使い勝手を向上させることができる。また、検知部３１の後端部に口板部２５ａと当接する突起部３４を形成しているため、口板部２５ａが検知部３１の後端部の後方に外れることが無く、集塵袋２５が集塵室２６に正常に装着されていない状態で蓋体１４が閉状態となることを簡単な構成で確実に防止することができる。
【００５４】
また、図５（ｅ）及び（ｆ）に示すように、本実施の形態においては、集塵袋２５が集塵室２６に装着されていない場合においても、蓋体１４が閉状態とならないように構成している。具体的には、図５（ｅ）及び（ｆ）に示すように、集塵袋２５が集塵室２６に装着されていない状態で、使用者が蓋体１４を閉状態となるように回動させた場合、集塵室２６内には集塵袋２５が装着されていないため、検知部３１が上方に回動することがない。そのため、突出部３２が掃除機本体１と蓋体１４との間に位置した状態で蓋体１４が閉状態となるため、掃除機本体１と蓋体１４との間に突出部３２が挟まり、蓋体１４が完全に閉状態にならない。したがって、集塵袋２５が集塵室２６に装着されていない状態で蓋体１４が閉状態となることを簡単な構成で確実に防止することができるため、電気掃除機
１００の安全性及び電気掃除機１００の使い勝手を向上させることができる。
【００５５】
使用者により掃除が行われ、集塵袋２５内に塵埃が堆積してくると、電動送風機１６で発生された吸引風及びこの吸引風によって吸引された塵埃によって集塵袋２５が膨らんでくる。図６に示すように、本実施の形態においては、検知部３１は、検知部３１の中心軸Ｐ１と回転軸２９の中心軸Ｐ２とが成す角度Ｘが２０度〜７０度の範囲となるように、本体部３０から後方に向かって延設されているため、集塵袋２５の上方に検知部３１が大きく突出し、検知部３１によって集塵袋２５が圧迫されることがない。したがって、検知部３１によって集塵袋２５の集塵容量が減少してしまうことがないため、集塵袋２５の集塵容量がいっぱいになるまで集塵袋２５を使用することができ、電気掃除機１００の使い勝手を向上させることができる。
【００５６】
以上のように、本実施の形態においては、検知部３１の中心軸Ｐ１と回転軸２９の中心軸Ｐ２とが成す角度Ｘが２０度〜７０度の範囲となるように、検知部３１を本体部３０に設けているため、集塵袋２５の上方に検知部３１が大きく突出し、検知部３１によって集塵袋２５が圧迫されることがない。したがって、検知部３１によって集塵袋２５の集塵容量が減少してしまうことがなく、電気掃除機１００の使い勝手を向上させることができる。
【００５７】
また、本実施の形態においては、集塵袋２５は、口板部２５ａの下部及び両側部が集塵室２６に設けられた位置決め部２７と係合するとともに、口板部２５ａの上部が検知部３１の係合凹部３３と係合することで集塵室２６内に保持されているため、集塵袋２５を集塵室２６に確実に保持させることができる。
【００５８】
さらに、本実施の形態においては、集塵室２６に集塵袋２５が装着された状態で、蓋体１４を閉状態とするだけで、検知部３１の係合凹部３３と口板部２５ａの上端部とが係合するため、使用者は蓋体１４を閉状態にするだけで、集塵室２６内に集塵袋２５を保持させることができる。したがって、検知部３１とは別に集塵袋２５の口板部２５ａの上端部を保持させるための構成を設ける必要がないため、掃除機本体１の構成を簡素化することができるとともに、簡単な構成で確実に集塵袋２５を集塵室２６に保持させることができ、電気掃除機１００の使い勝手を向上させることができる。また、集塵室２６から集塵袋２５を取り外す場合においても、蓋体１４を開状態とするだけで、検知部３１の係合凹部３３と口板部２５ａの上端部との係合を解除することができるとともに、蓋体１４を開状態とした際に口板部２５ａの上方を開放状態とすることができるため、集塵袋２５を容易に交換することができ、電気掃除機の使い勝手を向上させることができる。
【００５９】
また、本実施の形態においては、検知部３１の下面に曲面３５を形成しているため、集塵袋２５の口板部２５ａと検知部３１とを面で接触させることができ、集塵袋２５の口板部２５ａが破損することを十分に防止することができる。
【００６０】
（実施の形態２）
本発明の電気掃除機の実施の形態２について、図７及び図８を用いて説明する。なお、上述した実施の形態１と同一構成部品については同一符号を付して、その説明を省略する。
【００６１】
図７（ａ）は、本発明の電気掃除機の実施の形態２における集塵袋検知体を示す全体斜視図、図７（ｂ）本発明の電気掃除機の実施の形態２における集塵袋検知体の上面図である。また、図８は、本発明の電気掃除機の実施の形態２における集塵袋が膨らんだ状態を示す部分断面図である。
【００６２】
図７（ａ）及び（ｂ）に示すように、本実施の形態においては、検知部３１は、第１の検知部３６と第２の検知部３７とで構成されている。また、蓋体１４の第１の検知部３６及び第２の検知部３７の上方には、それぞれ、第１の検知部３６及び第２の検知部３７の回動を規制する規制リブ（図示せず）が設けられている。さらに、上述した実施の形態１と同様に、第１の検知部３６及び第２の検知部３７には、それぞれ、係合凹部３３、突起部３４、及び曲面３５が形成されている。
【００６３】
そして、上述した実施の形態１と同様に、第１の検知部３６及び第２の検知部３７は、第１の検知部３６の中心軸Ｐ３と回転軸２９の中心軸Ｐ２とが成す角度Ｙ及び第２の検知部３７の中心軸Ｐ４と回転軸２９の中心軸Ｐ２とが成す角度Ｚが、それぞれ、２０度〜７０度の範囲となるように、本体部３０から後方に向かって延設されている。また、第１の検知部３６の長さＴ２及び第２の検知部３７の長さＴ３は、それぞれ、４．０ｃｍ〜９．０ｃｍとなるように形成されている。さらに、第１の検知部３６の幅Ｗ２及び第２の検知部３７の幅Ｗ３については、１０ｍｍで形成されている。
【００６４】
以上のように構成された電気掃除機１００について、以下、その動作及び作用を説明する。
【００６５】
上述した実施の形態１と同様に、使用者が集塵袋２５を集塵室２６に装着する場合に、使用者は、集塵袋２５の口板部２５ａを集塵室２６内に設けられた位置決め部２７に係合させ、集塵室２６に集塵袋２５を装着する。この状態で、使用者が蓋体１４を閉状態となるように回動させていくと、集塵袋検知体２８に設けられた第１の検知部３６及び第２の検知部３７の下面が集塵袋２５の口板部２５ａの上端部と当接する。この状態で、使用者がさらに蓋体１４を閉状態へと回動させると、第１の検知部３６及び第２の検知部３７が口板部２５ａによって上方へと押し上げられ、第１の検知部３６及び第２の検知部３７が上方へと回動するとともに、第１の検知部３６及び第２の検知部３７の下面に形成された曲面３５に沿って口板部２５ａが係合凹部３３側へと導かれる。そして、使用者が、蓋体１４を完全に閉状態にすると、第１の検知部３６及び第２の検知部３７の係合凹部３３が口板部２５ａの上面と嵌合し、集塵室２６内で集塵袋２５が保持される。
【００６６】
このとき、第１の検知部３６、第２の検知部３７、及び突出部３２は、本体部３０に一体的に形成されているため、第１の検知部３６及び第２の検知部３７の動作に連動して、突出部３２を蓋体１４が閉状態とならない位置から蓋体１４が閉状態になる位置へと移動させることができる。また、第１の検知部３６及び第２の検知部３７は、蓋体１４に設けられた規制リブ（図示せず）によって上方への回動を規制されているため、蓋体１４を完全に閉状態とした状態において、第１の検知部３６及び第２の検知部３７が上方に回動することがなく、第１の検知部３６及び第２の検知部３７に設けられた係合凹部３３によって、集塵袋２５を集塵室２６内で確実に保持することができる。したがって、使用者は集塵袋２５を集塵室２６に装着し蓋体１４を閉状態にするだけで、集塵袋２５を集塵室２６に確実に保持させることができるとともに、蓋体１４を完全に閉状態とし電気掃除機１００の運転を開始することができるため、電気掃除機１００の使い勝手を向上させることができる。
【００６７】
また、集塵袋２５が集塵室２６に正常に装着されていない状態で、使用者が蓋体１４を閉状態となるように回動させていくと、第１の検知部３６及び第２の検知部３７の下面が集塵袋２５の口板部２５ａの上端部と当接する。この状態で、使用者がさらに蓋体１４を閉状態へと回動させると、第１の検知部３６及び第２の検知部３７が口板部２５ａによって上方へと押し上げられ、第１の検知部３６及び第２の検知部３７が上方へと回動し、第１の検知部３６及び第２の検知部３７の上面と規制リブ（図示せず）と当接する。この状態で、さらに使用者が蓋体１４を閉状態へと回動させると、検知部３１の下面に沿って口
板部２５ａが検知部３１の後端部側へと移動し、第１の検知部３６及び第２の検知部３７の後端部に設けられた突起部３４と口板部２５ａとが当接する。この状態において、第１の検知部３６及び第２の検知部３７の上面が規制リブ（図示せず）と当接するとともに第１の検知部３６及び第２の検知部３７の下面が口板部２５ａの上端部と当接しているため、第１の検知部３６、第２の検知部３７、規制リブ（図示せず）、及び口板部２５ａによって蓋体１４の回動が規制され、蓋体１４が閉状態にならない。したがって、集塵袋２５が集塵室２６に正常に装着されていない状態で蓋体１４が閉状態となることを簡単な構成で確実に防止することができるため、電気掃除機１００の安全性及び電気掃除機１００の使い勝手を向上させることができる。
【００６８】
さらに、集塵袋２５が集塵室２６に装着されていない状態で、使用者が蓋体１４を閉状態となるように回動させた場合、集塵室２６内には集塵袋２５が装着されていないため、第１の検知部３６及び第２の検知部３７が上方に回動することがない。そのため、突出部３２が掃除機本体１と蓋体１４との間に位置した状態で蓋体１４が閉状態となるため、掃除機本体１と蓋体１４との間に突出部３２が挟まり、蓋体１４が完全に閉状態にならない。したがって、集塵袋２５が集塵室２６に装着されていない状態で蓋体１４が閉状態となることを簡単な構成で確実に防止することができるため、電気掃除機１００の安全性及び電気掃除機１００の使い勝手を向上させることができる。
【００６９】
また、使用者により掃除が行われ、集塵袋２５内に塵埃が堆積してくると、電動送風機１６で発生された吸引風及びこの吸引風によって吸引された塵埃によって集塵袋２５が膨らんでくる。図８に示すように、本実施の形態においては、第１の検知部３６及び第２の検知部３７は、第１の検知部３６及び第２の検知部３７は、第１の検知部３６の中心軸Ｐ３と回転軸２９の中心軸Ｐ２とが成す角度Ｙ及び第２の検知部３７の中心軸Ｐ４と回転軸２９の中心軸Ｐ２とが成す角度Ｚがそれぞれ２０度〜７０度の範囲となるとともに、集塵袋２５の袋部２５ｂが第１の検知部３６及び第２の検知部３７との間に位置するように、本体部３０から後方に向かって延設されている。そのため、集塵袋２５の上方に第１の検知部３６及び第２の検知部３７が大きく突出し、第１の検知部３６及び第２の検知部３７によって集塵袋２５が圧迫されることがない。したがって、第１の検知部３６及び第２の検知部３７によって集塵袋２５の集塵容量が減少してしまうことがないため、集塵袋２５の集塵容量がいっぱいになるまで集塵袋２５を使用することができ、電気掃除機１００の使い勝手を向上させることができる。
【００７０】
さらに、第１の検知部３６及び第２の検知部３７によって集塵室２６への集塵袋２５の装着の有無を検知するため、集塵室２６への集塵袋２５の装着の有無をより広範囲で精度よく検知することができる。
【００７１】
以上、本発明の電気掃除機の実施の形態１及び実施の形態２について説明したが、本発明の電気掃除機は上述した実施の形態１及び実施の形態２に限定されるものではない。
【００７２】
例えば、上述した実施の形態１及び実施の形態２においては、検知部３１の下面に集塵袋２５の口板部２５ａを係合凹部３３へと導く曲面３５が形成されている構成について説明したが、検知部３１の下面に集塵袋２５の口板部２５ａを係合凹部３３へと導く傾斜面（図示せず）が形成されていてもよい。この構成においても、口板部２５ａを係合凹部３３に確実に導くことができるため、使用者は集塵袋２５を集塵室２６に装着し蓋体１４を閉状態にするだけで集塵袋２５を集塵室２６に確実に保持させることができ、電気掃除機１００の使い勝手を向上させることができる。
【００７３】
また、上述した実施の形態１及び実施の形態２においては、検知部３１の幅Ｗ１、第１の検知部３６の幅Ｗ２、及び第２の検知部３７の幅Ｗ３がそれぞれ１０ｍｍで形成されて
いる構成について説明したが、検知部３１の幅Ｗ１、第１の検知部３６の幅Ｗ２、及び第２の検知部３７の幅Ｗ３は、検知部３１、第１の検知部３６、及び第２の検知部３７が集塵袋２５の口板部２５ａと当接した際、検知部３１、第１の検知部３６、及び第２の検知部３７によって口板部２５ａが変形しない幅で形成されていればよく、検知部３１の幅Ｗ１、第１の検知部３６の幅Ｗ２、及び第２の検知部３７の幅Ｗ３は、２ｍｍ〜３０ｍｍの範囲で形成されていることが好ましい。
【産業上の利用可能性】
【００７４】
本発明の電気掃除機は、集塵袋検知体によって集塵袋の集塵容量が減少することを十分に防止することができ、電気掃除機の使い勝手を向上させることができるようになるため、家庭用電気掃除機及び産業用電気掃除機の分野・用途に好適に適用することができる。
【符号の説明】
【００７５】
１  掃除機本体
１ａ  吸入口
２  吸込具
３  延長管
４  ホース
５  車輪
６  本体ハンドル
７  回転ブラシ
８  駆動モータ
９  把手部
１０  先端パイプ
１１  接続パイプ
１２  下部材
１３  上部材
１４  蓋体
１４ａ  規制リブ
１５  カバー体
１６  電動送風機
１７  電動送風機室
１８  前部サポート部材
１９  後部サポート部材
２０  上部ケース
２１  下部ケース
２２  静電霧化装置
２３  収納ケース
２４  高電圧装置
２５  集塵袋
２５ａ  口板部
２５ｂ  袋部
２６  集塵室
２７  位置決め部
２８  集塵袋検知体
２９  回転軸
３０  本体部
３１  検知部
３２  突出部
３３  係合凹部
３４  突起部
３５  曲面
３６  第１の検知部
３７  第２の検知部
１００  電気掃除機
【図１】
2012223224.tif 000004
【図２】
2012223224.tif 000005
【図３】
2012223224.tif 000006
【図４】
2012223224.tif 000007
【図５】
2012223224.tif 000008
【図６】
2012223224.tif 000009
【図７】
2012223224.tif 000010
【図８】
2012223224.tif 000011
【図９】
2012223224.tif 000012